(57)【特許請求の範囲】
【請求項１】
プリンタの制御部を含む各種動作部への電流の供給および遮断を行うプリンタ用電流供給遮断装置であって、
電源の電流を前記動作部に供給するための第１トランジスタと、
この第１トランジスタのＯＮ状態を継続するための第２トランジスタと、
前記両トランジスタのＯＮ・ＯＦＦを同期的に制御する第１ポートと、
それぞれ操作時のみＯＮとされており、前記第１トランジスタを起動させる第１スイッチおよび前記動作部への電流を遮断するための第２スイッチと、
前記第２スイッチがＯＮであることを検出する第２ポートとを有し、
前記制御部は、前記両スイッチをＯＮにして電流を遮断する際にプリンタとしての仕事が残存していた場合にはその仕事を終えた後に前記第１ポートにより前記両トランジスタをＯＦＦさせるように構成されていることを特徴とするプリンタ用電流供給遮断装置。
【請求項２】
前記第１スイッチおよび第２スイッチは、相互に同期的にＯＮ・ＯＦＦされる２極単投式スイッチとされていることを特徴とする請求項１に記載のプリンタ用電流供給遮断装置。
【請求項３】
前記制御部は、前記第２スイッチがＯＮからＯＦＦを経て再度ＯＮとなったときに電流供給の停止のための動作を行うようになっていることを特徴とする請求項１または請求項２に記載のプリンタ用電流供給遮断装置。
【発明の詳細な説明】
【０００１】
【発明の属する技術分野】
本発明は、プリンタにおいて制御部を含む各所へ電流の供給および遮断を行うプリンタ用電流供給遮断装置に係り、特に、低消費電力を可能としたプリンタ用電流供給遮断装置に関する。
【０００２】
【従来の技術】
近年、携行可能なパソコンやワープロの発達に伴ない電池駆動可能な各種プリンタが開発されている。
【０００３】
まず、この種のプリンタにおける電流供給遮断装置の従来のものの構成について説明する。
【０００４】
図２は、従来の電流供給遮断装置の一例を示すものであり、この従来例においては、電池からなる電源１からの電流の供給および遮断を単純なスイッチ２のみにより行うようになっている。
【０００５】
このような構成によれば、簡単な構成によりスイッチ２のＯＮ・ＯＦＦによりＣＰＵを含む制御部ならびにモータなどにより駆動される機構部を有する動作部３への電流の遮断および供給を同時に行うことができる。
【０００６】
図３は、従来の電流供給遮断装置の他例を示すものであり、この従来例においては、電池からなる電源１からの電流の供給を、並列な２系統、すなわち、ＣＰＵを含む制御部４と、モータなどにより駆動される機構部５とに分岐し、制御部４には、常時電流を供給し続けるのに対し、機構部５にはスイッチ６を設けていた。
【０００７】
このような構成によれば、スイッチ６をＯＦＦにしても、制御部４には常時電流が供給されることになる。
【０００８】
【発明が解決しようとする課題】
しかしながら、図２のものは、電源１が電池の場合、電圧が低下すると大電流が流れるので、スイッチ２が大きなものとなってしまい、実装スペースが大きくなるとともに、コスト高になり、小型化ならびに低コスト化という要求に対応できない。また、スイッチ２を開にすると、動作部３の制御部が停止してしまうため、排紙途中においてスイッチ２を開にしてしまうと、排紙が完全に行われないまま停止してしまうことになる。
【０００９】
一方、図３のものは、スイッチ６をＯＦＦにしても、制御部４には常時電流が供給され続けるので、電力を消費し続けることになる。このため、電源１が電池の場合、放電して容量が減少するので、印刷可能な用紙の枚数が減少したり、このプリンタを使用したいときに、必要な電気容量がなく使用できなかったりするおそれがある。
【００１０】
本発明は、このような従来のものにおける問題点を克服し、小型化することができるのみならず消費電力を少なくし、また、排紙を完全に行ったうえで停止することを可能とし、しかも、安価に製造することができるプリンタ用電流供給遮断装置を提供することを目的としている。
【００１１】
【課題を解決するための手段】
前述した目的を達成するため請求項１に係る本発明のプリンタ用電流供給遮断装置の特徴は、電源の電流を動作部に供給するための第１トランジスタと、この第１トランジスタのＯＮ状態を継続するための第２トランジスタと、前記両トランジスタのＯＮ・ＯＦＦを同期的に制御する第１ポートと、それぞれ操作時のみＯＮとされており、前記第１トランジスタを起動させる第１スイッチおよび前記動作部への電流を遮断するための第２スイッチと、前記第２スイッチがＯＮであることを検出する第２ポートとを有し、制御部は、前記両スイッチをＯＮにして電流を遮断する際にプリンタとしての仕事が残存していた場合にはその仕事を終えた後に前記第１ポートにより前記両トランジスタをＯＦＦさせるように構成されている点にある。そして、このような構成を採用したことにより、排紙を完全に行ったうえで停止することができるばかりでなく、停止時には、制御部に電力が供給されないので、消費電力を少なくできる。
【００１２】
請求項２に係る本発明のプリンタ用電流供給遮断装置の特徴は、前記第１スイッチおよび第２スイッチが、相互に同期的にＯＮ・ＯＦＦされる２極単投式スイッチとされている点にある。そして、このような構成を採用したことにより、スイッチを簡単な構成にすることができる。
【００１３】
請求項３に係る本発明のプリンタ用電流供給遮断装置の特徴は、前記制御部が、前記第２スイッチがＯＮからＯＦＦを経て再度ＯＮとなったときに電流供給の停止のための動作を行うようになっている点にある。そして、このような構成を採用したことにより、電力供給停止の誤作動を防止することができる。
【００１４】
【発明の実施の形態】
図１は本発明に係るプリンタ用電流供給遮断装置の実施形態を示すものであり、本実施形態においては、入力電源Ｖinにより駆動される第１トランジスタ１０と、ロジック電源Ｖccにより駆動される第２トランジスタ１１とを有している。なお、前記入力電源Ｖinは電池やＡＣアダプタなどの電源であり、ロジック電源Ｖccは、図示しないＤＣ−ＤＣコンバータから変圧器を介して変圧されている。
【００１５】
前記第１トランジスタ１０のエミッタＥは配線１２を介して前記入力電源Ｖinに接続されており、また、そのコレクタＣは配線１３を介してＤＣ−ＤＣコンバータやＣＰＵを含む制御部ならびにモータにより駆動される機構部を有する動作部１４に接続されている。さらに、前記第１トランジスタ１０のベースＢは、抵抗２２、配線１５、前記動作部１４をＯＮさせるための第１スイッチ１６および配線１７を介して接地されている。
【００１６】
一方、前記第２トランジスタ１１のベースＢは、電圧安定用の抵抗１９が設けられた配線１８を介して前記ロジック電源Ｖccに接続されるとともに、後述する第１ポート２０とも並列に接続されている。また、前記第２トランジスタ１１のコレクタＣは、前記第１トランジスタ１０のベースＢからの配線１５と配線２３を介して接続されている。さらに、前記第２トランジスタ１１のエミッタＥは、配線２４を介して接地されている。
【００１７】
前記動作部１４をＯＦＦさせるための第２スイッチ２７は、電圧安定用の抵抗２６を設けた配線２５を介してロジック電源Ｖccに接続されるとともに配線２８を介して接地されている。また、前記配線２５からは後述する第２ポート２９へ分岐している。
【００１８】
前記第１スイッチ１６および第２スイッチ２７とは、同時にＯＮ・ＯＦＦされる２極単投式スイッチとされており、また、両スイッチ１６，２７は、作業者が操作しているときのみＯＮとされ、作業者が両スイッチ１６，２７から手を離すと、直ちにＯＦＦにされるようになっている。
【００１９】
前記第１ポート２０および第２ポート２９は、それぞれ「１」と「０」の２値のいずれかの値をとるように設定されている。このうち、第１ポート２０が値「１」をとると、第１ポート２０から第２トランジスタ１１のベースＢにロジック電源Ｖccからの電流が流れ、このため両トランジスタ１０，１１がそれぞれＯＮとされることになる。また、第１ポート２０が値「０」をとると、第１ポート２０から第２トランジスタ１１のベースＢへの電流が遮断され、このため両トランジスタ１０，１１はそれぞれＯＦＦとされることになる。一方、前記第２ポート２９は、前記両スイッチ１６，２７がＯＮとなると、値「０」をとり、両スイッチ１６，２７がＯＦＦとなると、値「１」をとるように設定されており、前記第２スイッチ２７がＯＮであることを検出することにより、前記動作部への電流を遮断するためのものである。
【００２０】
つぎに、前述した実施の形態の作用について説明する。
【００２１】
まず、電源を投入するため２極単段式の両スイッチ１６，２７を手動操作によりＯＮすると、このうちの第１スイッチ１６がＯＮされることにより、入力電源Ｖinからの電流が各配線１２，１５を介して第１スイッチ１６に流れることになる。このとき、第１トランジスタ１０のベースＢに電流が流れるため、第１トランジスタ１０がＯＮとなり、この第１トランジスタ１０のエミッタＥからコレクタＣに入力電源Ｖinからの電流が流れ、この電流は配線１３を介してＤＣ−ＤＣコンバータやＣＰＵを含む制御部ならびにモータにより駆動される機構部を有する動作部１４に流れ、ＣＰＵがＯＮされる。
【００２２】
すると、ＣＰＵにより初期化が行われ、第１ポート２０が値「１」をとる。そして、この第１ポート２０から第２トランジスタ１１のベースＢに電流が流れて第２トランジスタ１１がＯＮとなり、ロジック電源Ｖccの電流が配線２１から第２トランジスタ１１のコレクタＣからエミッタＥに流れることになる。この電流の一部は、配線２３，１５を介して第１トランジスタ１０のベースＢにも流れるので、第１トランジスタ１０はＯＮの状態を維持することになる。したがって、第１スイッチ１６から手を離し、この第１スイッチ１６がＯＦＦになっても、動作部１４には継続して電流が供給されることになる。なお、第１スイッチ１６がＯＦＦにされる前に、第２トランジスタ１１がＯＮになるように、動作部１４への電流の供給が安定的に行われるようにするため、動作部１４のＣＰＵがＯＮになると、このＣＰＵの初期値により第１ポート２０が直ちに値「１」をとるようになっている。
【００２３】
つぎに、電源遮断時の動作について説明する。
【００２４】
前述した電源投入時に第２スイッチ２７がＯＮされることにより、第２ポート２９は一度値「０」をとり、その後、第２スイッチ２７がＯＦＦされることにより、第２ポート２９は再度値「１」をとるが、動作部１４のＣＰＵは、この第２ポート２９の値の変化を記憶している。そして、電源遮断時に第２スイッチ２７がＯＮされることにより、第２ポート２９が再度値「０」をとると、前記ＣＰＵは、第２ポート２９の値が「０」−「１」−「０」を満たしたことにより、第１ポート２０に値「０」をとらせる準備にはいる。このとき、排紙などプリンタとしての仕事が残存していたかの判断をＣＰＵが行ない、仕事が残存していた場合にはその仕事を終えたうえで第１ポート２０に値「０」をとらせる。
【００２５】
前述したようにして第１ポート２０が値「０」をとると、この第１ポート２０は第２トランジスタ１１のベースＢへの電流の供給を停止する。すると、この第２トランジスタ１１はＯＦＦになり、この結果、第１トランジスタ１０のベースＢへの電流の供給も遮断されることになるので、第１トランジスタ１０もＯＦＦにされ、動作部１４への入力電源Ｖinからの供給は遮断される。
【００２６】
以上説明したように本実施形態においては、電源遮断時には動作部１４のすべての部位への電源の供給は停止されるので、電力消費量が少なく、電池駆動のプリンタにも適用可能である。
【００２７】
また、電源遮断時にプリンタとしての仕事が残存しているときには、残存している仕事を終えた後に電源遮断が行われるので、仕事が途中で中断するおそれがない。一方、電源遮断時には、第２ポート２９の値が「０」−「１」−「０」を満たしたことにより初めて遮断動作にはいるので、電源遮断の誤作動の生じるおそれがない。
【００２８】
さらに、第１スイッチ１６と第２スイッチ２７は、同期的にＯＮ・ＯＦＦを行う２極単投式スイッチとされているので、スイッチの構成を簡略化することができる。
【００２９】
また、以上のことから全体を簡略化して小型化を可能とし、さらに安価に製造することができる。
なお、本発明は、前述した実施の形態に限定されるものではなく、必要に応じて種々の変更が可能である。
【００３０】
【発明の効果】
以上説明したように本発明に係るプリンタ用電流供給遮断装置によれば、小型化することができるのみならず消費電力を少なくし、また、排紙を完全に行ったうえで停止することを可能とし、しかも、安価に製造することができる。
【００３１】
すなわち、電源の電流を動作部に供給するための第１トランジスタと、この第１トランジスタのＯＮ状態を継続するための第２トランジスタと、前記両トランジスタのＯＮ・ＯＦＦを同期的に制御する第１ポートと、それぞれ操作時のみＯＮとされており、前記第１トランジスタを起動させる第１スイッチおよび前記動作部への電流を遮断するための第２スイッチと、前記第２スイッチがＯＮであることを検出する第２ポートとを有し、制御部は、前記両スイッチをＯＮにして電流を遮断する際にプリンタとしての仕事が残存していた場合にはその仕事を終えた後に前記第１ポートにより前記両トランジスタをＯＦＦさせるように構成されていることにより、排紙などプリンタとしての残存している仕事を完全に終了したうえで停止することができるばかりでなく、停止時には、制御部に電力が供給されないので、消費電力を少なくできる。
【００３２】
また、第１スイッチおよび第２スイッチを、相互に同期的にＯＮ・ＯＦＦされる２極単投式スイッチとすれば、スイッチを簡単な構成にすることができる。
【００３３】
さらに、制御部を、第２スイッチがＯＮからＯＦＦを経て再度ＯＮとなったときに電流供給の停止のための動作を行うようにすれば、電力供給停止の誤作動を防止することができる。
【図面の簡単な説明】
【図１】  本発明に係るプリンタ用電流供給遮断装置の実施形態を示す電気回路図
【図２】  従来のプリンタ用電流供給遮断装置の一例を示す電気回路図
【図３】  従来のプリンタ用電流供給遮断装置の他例を示す電気回路図
【符号の説明】
１  電源
２  スイッチ
３  動作部
４  制御部
５  機構部
６  スイッチ
１０  第１トランジスタ
１１  第２トランジスタ
１４  動作部
１６  第１スイッチ
２０  第１ポート
２７  第２スイッチ
２９  第２ポート
Ｖin  入力電源
Ｖcc  ロジック電源
【図１】
0004014769.tif 000002
【図２】
0004014769.tif 000003
【図３】
0004014769.tif 000004